【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
プロキシノードにおいてプロキシテーブルを管理する方法であって、
（ａ）前記プロキシノードが、第１の資源制約装置からメッセージを受信し、前記メッセージは少なくとも１つの対応する宛先装置を対象とし、
（ｂ）前記プロキシノードが、プロキシテーブルの１組のプロキシテーブルエントリを含む前記プロキシテーブルに基づいて前記メッセージを前記宛先装置に転送し、前記プロキシテーブルの前記１組のプロキシテーブルエントリは、前記プロキシノードが前記対応する宛先装置にメッセージの転送を行う１組の資源制約装置を示し、前記１組のプロキシテーブルエントリの少なくとも１つのプロキシテーブルエントリがエントリクラスの指標を含み、
前記エントリクラスが、
前記プロキシテーブルエントリの作成を引き起こした作成方法、
前記プロキシ若しくは前記プロキシ内のプロキシテーブルエントリを管理する別の装置が前記プロキシテーブルエントリに適用しなければならないエントリの保守挙動、又は
前記資源制約装置の特性
のうちの少なくとも１つを示し、
（ｃ）前記プロキシノードが、前記エントリクラスに基づいて前記１組のプロキシテーブルエントリを管理し、
前記プロキシテーブルエントリの位置が、前記エントリクラスの前記指標である、
方法。
【請求項２】
前記プロキシノードが、前記エントリクラスに対応する作成及び除去戦略に基づいて前記１組のプロキシテーブルエントリを管理する、請求項１に記載の方法。
【請求項３】
プロキシノードにおいてプロキシテーブルを管理する方法であって、
（ａ）前記プロキシノードが、第１の資源制約装置からメッセージを受信し、前記メッセージは少なくとも１つの対応する宛先装置を対象とし、
（ｂ）前記プロキシノードが、前記プロキシテーブルの１組のエントリ内に前記第１の資源制約装置のエントリが含まれているかどうかを確認し、前記プロキシテーブルの前記１組のエントリは、前記プロキシノードが前記対応する宛先装置にメッセージの転送を行う１組の資源制約装置を示し、
（ｃ）ステップ（ｂ）における前記プロキシテーブルの確認結果に応じて、前記プロキシノードは、前記プロキシテーブルが１組の制約装置に対応する「ワイルドカード」エントリを有するかどうかを確認し、
（ｄ）ステップ（ｂ）又は（ｃ）における前記プロキシテーブルの確認結果に応じて、前記プロキシノードが前記メッセージを転送する、
方法。
【請求項４】
プロキシノードにおいてプロキシテーブルを管理する方法であって、
（ａ）前記プロキシノードが、第１の資源制約装置からメッセージを受信し、前記メッセージは少なくとも１つの対応する宛先装置を対象とし、
（ｂ）前記プロキシノードが、前記プロキシテーブルの１組のエントリ内に前記第１の資源制約装置のエントリが含まれているかどうかを確認し、前記プロキシテーブルの前記１組のエントリは、前記プロキシノードが前記対応する宛先装置にメッセージの転送を行う１組の資源制約装置を示し、
（ｃ）ステップ（ｂ）における前記プロキシテーブルの確認結果に応じて、前記プロキシノードが前記メッセージを転送し、
（ｄ）前記プロキシノードが、少なくとも前記資源制約装置に関係するエントリについて、前記資源制約装置のメッセージを転送するための競合プロキシノードの使用に対する、前記資源制約装置のメッセージを転送するための前記エントリの相対的使用をモニタし、前記エントリを保ち、修正し、又は除去することに決める、
方法。
【請求項５】
ステップ（ｄ）は、前記プロキシノードが、前記プロキシノードによって転送される前記第１の資源制約装置からのメッセージ数を、競合プロキシノードによって転送される前記第１の資源制約装置からのメッセージ数と比較するステップを含む、請求項４に記載の方法。
【請求項６】
ステップ（ｃ）において、前記プロキシノードが、前記プロキシテーブルの第１の資源制約ノードに対応する前記エントリにおいて前記メッセージのシーケンス番号を記憶し、ステップ（ｄ）が、
前記宛先装置において最後に受信され、前記資源制約装置から生じた前記メッセージの前記シーケンス番号を示すメッセージを前記宛先装置から受信するステップと、
前記宛先装置において最後に受信された前記メッセージの前記シーケンス番号を、前記プロキシテーブル内に記憶された前記シーケンス番号と比較するステップと、
前記比較の結果に基づいて前記エントリを消去するステップと
を含む、請求項５に記載の方法。
【請求項７】
ステップ（ｃ）において、前記プロキシノードが、前記プロキシテーブルの第１の資源制約ノードに対応する前記エントリにおいてカウンタをインクリメントし、ステップ（ｄ）が、
（ｄ１）前記宛先装置において受信され、前記資源制約装置から生じたメッセージの総数を示すメッセージを前記宛先装置から受信するステップと、
（ｄ２）前記宛先装置において受信された前記メッセージの総数を、前記プロキシテーブル内の前記カウンタと比較するステップと、
（ｄ３）前記比較の結果に基づいて前記エントリを消去するステップと
を含む、請求項５に記載の方法。
【請求項８】
（ｄ２）の後、前記第１の資源制約ノードに対応する前記エントリにおいて前記カウンタが現在の状態にありながら、前記プロキシノードが再開するステップを更に含む、請求項７に記載の方法。
【請求項９】
ステップ（ｃ）において、前記プロキシノードが、前記プロキシテーブルの第１の資源制約ノードに対応する前記エントリにおいて、前記資源制約装置と前記プロキシノードとの間の通信リンク品質を示す第１の品質指標を記憶し、ステップ（ｄ）が、
前記資源制約装置と前記競合プロキシノードとの間の前記通信リンク品質を示す第２の品質指標を含むメッセージを少なくとも１つの競合プロキシノードから受信するステップと、
前記第１の品質指標を、前記第２の品質指標と比較するステップと、
前記比較の結果に基づいて前記エントリを消去するステップと
を含む、請求項４に記載の方法。
【請求項１０】
前記第１の品質指標及び前記第２の品質指標が、前記プロキシノード及び前記競合プロキシノードのそれぞれにおける受信信号強度から得られる、請求項９に記載の方法。
【請求項１１】
前記第１の品質指標及び前記第２の品質指標が、前記資源制約装置から生じるメッセージ数に対する、前記資源制約装置の代わりに前記第１の及び前記第２のプロキシによって転送されるメッセージの数及び／又は時間分布から得られる、請求項９に記載の方法。
【請求項１２】
前記エントリを消去する前記ステップは、前記第１の品質指標よりも優れた品質指標を有する競合プロキシノードの数が少なくとも閾値に等しいことを前記プロキシノードが見出した後に実行される、請求項９乃至１１の何れか一項に記載の方法。
【請求項１３】
ステップ（ｄ）は、前記プロキシノードが少なくとも１つの競合プロキシノードからメッセージを受信するステップと、前記プロキシノードが競合プロキシノードの数を数えるステップとを含み、前記プロキシノードは前記競合プロキシノードの数に少なくとも部分的に基づいて前記プロキシテーブルを消去する、請求項４乃至１２の何れか一項に記載の方法。
【請求項１４】
前記プロキシノードの消去ステップ（ｄ）が、
−  前記第１の資源制約装置の前記エントリを前記プロキシテーブルから除去するステップ、
−  前記プロキシテーブルからの前記第１の資源制約装置に関する前記エントリが使用されていないことを前記プロキシテーブル内で示すステップ、又は
−  存在しない場合、前記プロキシテーブルからの前記第１の資源制約装置の新たなエントリの作成を控えるステップ
のうちの少なくとも１つを実行するステップを含む、請求項４乃至１３の何れか一項に記載の方法。
【請求項１５】
第１の資源制約装置からメッセージを受信するための受信機であって、前記メッセージは少なくとも１つの対応する宛先装置を対象とする、受信機と、
プロキシテーブルの１組のプロキシテーブルエントリを含む前記プロキシテーブルを記憶するための記憶手段であって、前記プロキシテーブルの前記１組のプロキシテーブルエントリは、前記プロキシノードが前記対応する宛先装置にメッセージの転送を行う１組の資源制約装置を示し、前記１組のプロキシテーブルエントリの少なくとも１つのプロキシテーブルエントリがエントリクラスの指標を含む、記憶手段と、
前記プロキシテーブルに基づいて前記メッセージを前記宛先装置に転送するための送信機と、
前記エントリクラスに基づいて前記１組のプロキシテーブルエントリを管理するための管理手段と
を含むプロキシノードであって、
前記エントリクラスが、
前記プロキシテーブルエントリの作成を引き起こした作成方法、
前記プロキシ若しくは前記プロキシ内のプロキシテーブルエントリを管理する別の装置が前記プロキシテーブルエントリに適用しなければならないエントリの保守挙動、又は
前記資源制約装置の特性
のうちの少なくとも１つを示し、
前記プロキシテーブルエントリの位置が、前記エントリクラスの前記指標である、プロキシノード。
【請求項１６】
プロキシテーブルを管理するための手段と、
第１の資源制約装置からメッセージを受信するための受信機であって、前記メッセージは少なくとも１つの対応する宛先装置を対象とする、受信機と、
前記プロキシテーブルの１組のエントリ内に前記第１の資源制約装置のエントリが含まれているかどうかを確認するための制御手段であって、前記プロキシテーブルの前記１組のエントリは前記プロキシノードが担当する１組の資源制約装置を示す、制御手段と、
前記プロキシテーブルの確認結果に応じて前記メッセージを転送するための送信機と
を含むプロキシノードであって、
前記プロキシテーブルを管理するための前記手段が、前記資源制約装置のメッセージを転送するための競合プロキシノードの使用に対する、前記資源制約装置のメッセージを転送するための前記プロキシノードの相対的使用をモニタすることにより、前記資源制約装置に関連する前記エントリを前記プロキシテーブルから消去する、
プロキシノード。
【請求項１７】
プロキシノードにおいてプロキシテーブルを管理する方法であって、
（ａ）前記プロキシノードが、第１の資源制約装置からメッセージを受信し、
前記メッセージは少なくとも１つの対応する宛先装置を対象とし、
（ｂ）前記プロキシノードが、前記プロキシテーブルの１組のエントリ内に含まれる前記第１の資源制約装置のエントリで、前記プロキシテーブルが更新される必要があるという指示を前記メッセージが含むかどうかを確認し、
（ｃ）前記プロキシノードが前記メッセージを転送し、
前記プロキシノードが、ステップ（ｂ）に基づいて前記プロキシテーブル内に新たなエントリを作成するのを控える、
方法。
【請求項１８】
プロキシノードにおいてプロキシテーブルを管理する方法であって、
（ａ）前記プロキシノードが、第１の資源制約装置からメッセージを受信し、前記メッセージは少なくとも１つの対応する宛先装置を対象とし、
（ｂ）前記プロキシノードが、前記プロキシテーブルの１組のエントリ内に前記第１の資源制約装置のエントリが含まれているかどうかを確認し、前記プロキシテーブルの前記１組のエントリは、前記プロキシノードが前記対応する宛先装置にメッセージの転送を行う１組の資源制約装置を示し、
（ｃ）ステップ（ｂ）における前記プロキシテーブルの確認結果として存在しないと判定すると、前記メッセージをバッファに入れてクエリパケットを送信し、
（ｄ）前記プロキシテーブルのエントリが更新される必要があるかどうかの指示を含む応答メッセージを受信し、前記プロキシテーブルの前記エントリは前記プロキシノードが転送を行う１組の資源制約装置を示し、
（ｅ）前記応答メッセージ内の前記指示の内容に応じて、前記プロキシノードが前記プロキシテーブル内に新たなエントリを作成する、
方法。